(57)【要約】【課題】広域通信手段を用い、車両などの位置情報や車両位置に関連する情報などを簡単な操作で入手できるようにする。【解決手段】車両等移動体側に、情報配信先端末の宛先情報を保持した移動局側装置を設け基地局側に対し発信可能にする。基地局側には、上記移動局側装置との間で無線通信可能な基地局側装置を設け、移動体が通信可能領域内に移動したとき、上記端末の宛先情報とともに該基地局側装置自体の識別情報を情報配信装置側に出力可能にする。情報配信装置には、上記宛先情報、識別情報に基づき、配信先端末と配信用情報とを特定する手段を設ける。【選択図】　図１
2004032083.tif 000002
【特許請求の範囲】
【請求項１】
基地局位置に対応する配信用情報を情報配信装置から端末側に配信する情報配信システムであって、
上記基地局と無線通信可能な領域を移動する移動体側に設けられ、自装置の固有情報または上記端末側の宛先情報を保持かつ発信可能な移動局側装置と、
自装置の識別情報を保持し上記移動局側装置との間で無線通信可能な基地局側装置と、
該基地局側装置から、上記識別情報と、上記移動局側装置の固有情報または上記端末側の宛先情報とを受信し、上記識別情報に基づき配信用情報を特定するとともに、該固有情報または該宛先情報に基づき端末を特定し、該特定した配信用情報を該特定した端末側に配信する情報配信装置と、
を備えた構成を特徴とする情報配信システム。
【請求項２】
基地局位置に対応する配信用情報を情報配信装置から端末側に配信する情報配信システムを構成する移動局側装置であって、
上記基地局と無線通信可能な領域を移動する移動体側に設けられ、該移動局側装置自体の固有情報または上記端末側の宛先情報を保持するとともに、無線通信により、該固有情報または該宛先情報を上記基地局側に供給する構成を備え、上記情報配信装置から、基地局側装置の識別情報によって特定される配信用情報が、上記固有情報または上記宛先情報に基づき特定される端末側に配信されるようにしたことを特徴とする移動局側装置。
【請求項３】
基地局位置に対応する配信用情報を情報配信装置から端末側に配信する情報配信システムを構成する基地局側装置であって、
上記基地局と無線通信可能な領域を移動する移動体側に設けられた移動局側装置から出力される該移動局側装置の固有情報または上記端末側の宛先情報を受信し、自装置の識別情報と、該固有情報または該宛先情報とを上記情報配信装置側に出力する構成を備え、識別情報に対応した配信用情報が該情報配信装置から、該固有情報または該宛先情報に基づき特定される端末側に配信されるようにしたことを特徴とする基地局側装置。
【請求項４】
基地局位置に対応する配信用情報を情報配信装置から端末側に配信する情報配信システム用の情報配信装置であって、
上記基地局と無線通信可能な領域を移動する移動体側に設けられた移動局側装置から出力される該移動局側装置の固有情報または上記端末側の宛先情報と、基地局側装置の識別情報とが入力され、該識別情報に対応した配信用情報を、該固有情報または該宛先情報に基づき特定される端末側に配信する構成を特徴とする情報配信装置。
【請求項５】
基地局位置に対応する配信用情報を情報配信装置から端末側に配信する情報配信システム用の情報配信装置であって、
基地局側装置との間を接続するインターフェースと、
上記基地局の識別情報から、配信する該識別情報に対応した配信用情報を参照するテーブルと、
上記基地局と無線通信可能な領域を移動する移動体側に設けられた移動局側装置から出力される該移動局側装置の固有情報または上記端末側の宛先情報と、上記基地局の識別情報とに基づき、配信先の端末を特定するとともに、上記テーブルを参照して該識別情報に対応した配信用情報を特定する制御手段と、
上記特定した端末側に上記特定した配信用情報を出力する出力手段と、
上記配信用情報の提供料金を演算し記憶する構成を有する課金手段と、
を備えた構成を特徴とする情報配信装置。
【請求項６】
基地局位置に対応する配信用情報を情報配信装置から端末側に配信する情報配信方法であって、
上記基地局と無線通信可能な領域を移動する移動体側に設けられた移動局側装置から出力される該移動局側装置の固有情報または上記端末側の宛先情報と、上記基地局の識別情報とを取り込むステップと、
上記移動局側装置の固有情報または上記端末側の宛先情報と、上記基地局の識別情報とに基づき、配信先の端末と配信する配信用情報を特定するステップと、
上記特定した端末側に上記特定した配信用情報を出力するステップと、
を経て、端末側に配信用情報を配信することを特徴とする情報配信方法。
【請求項７】
基地局位置に対応する配信用情報を情報配信装置から端末側に配信する情報配信方法であって、
上記基地局の識別情報から配信する配信用情報を参照するためのテーブルを設定するステップと、
上記基地局と無線通信可能な領域を移動する移動体側に設けられた移動局側装置から出力される該移動局側装置の固有情報または上記端末側の宛先情報と、上記基地局の識別情報とを、インターフェースを介し上記基地局側から取り込むステップと、
上記移動局側装置の固有情報または上記端末側の宛先情報と、上記基地局の識別情報とに基づき、配信先の端末を特定するとともに上記テーブルを参照し配信する配信用情報を特定するステップと、
上記特定した端末側に上記特定した配信用情報を出力するステップと、
を経て、端末側に配信用情報を配信することを特徴とする情報配信方法。
【請求項８】
基地局位置に対応する配信用情報を情報配信装置から端末側に配信する情報配信方法であって、
上記基地局の識別情報から配信する配信用情報を参照するためのテーブルを設定するステップと、
上記基地局と無線通信可能な領域を移動する移動体側に設けられた移動局側装置から出力される該移動局側装置の固有情報または上記端末側の宛先情報と、上記基地局の識別情報とを、インターフェースを介し上記基地局側から取り込むステップと、
上記移動局側装置の固有情報または上記端末側の宛先情報と、上記基地局の識別情報とに基づき、配信先の端末を特定するとともに上記テーブルを参照し配信する配信用情報を特定するステップと、
上記特定した端末側に上記特定した配信用情報を出力するステップと、
該配信用情報の提供料金を演算し記憶するステップと、
を有し、端末側に配信用情報を配信することを特徴とする情報配信方法。
【発明の詳細な説明】
【０００１】
【発明の属する技術分野】
本発明は、車両等の移動体と基地局との間の通信に基づく情報配信技術に関する。
【０００２】
【従来の技術】
従来、安全性、輸送効率及び快適性の向上などを目指したサービスを実現するため、道路と車両を一体のシステムとした高度道路交通システム（ＩＴＳ：Ｉｎｔｅｌｌｉｇｅｎｔ　Ｔｒａｎｓｐｏｒｔ　Ｓｙｓｔｅｍｓ）の開発が進められている。該高度道路交通システムでは、路上に設置される基地局と、車両に搭載される移動局との間で行う無線通信、すなわち路車間の無線通信により、安全性や、輸送効率や快適性などの向上を目指している。該路車間の無線通信は、狭域通信（ＤＳＲＣ：Ｄｅｄｉｃａｔｅｄ　Ｓｈｏｒｔ　ＲａｎｇｅＣｏｍｍｕｎｉｃａｔｉｏｎ）と呼ばれ、赤外線や、ミリ波、マイクロ波等の電波が用いられている。該狭域通信は、数ｍから数十ｍ程度の限定された範囲内での通信であり、車両がこの範囲を通過している場合にのみ通信を行うことができる。通常、車両は毎秒数ｍから数十ｍ程度の速度で道路を走行するため、通常の走行中に、特定の路側機との間で路車間通信が行える時間は短く、数百ｍｓから数ｓ程度である。このため、この時間内に伝達される情報量は限定された量となる。該高度道路交通システムにおける通信方式としては、社団法人　電波産業会にて定められた標準規格「有料道路自動料金収受システム標準規格ＡＲＩＢ　ＳＴＤ−Ｔ５５　１．０版」（平成９年１１月２７日策定）がある。自動料金支払いシステム（ＥＴＣ：Ｅｌｅｃｔｒｏｎｉｃ　Ｔｏｌｌ　Ｃｏｌｌｅｃｔｉｏｎ）では、該標準規格が用いられている。また、該標準規格を用いない別なものとしては、道路交通情報通信システム（ＶＩＣＳ：Ｖｅｈｉｃｌｅ　Ｉｎｆｏｒｍａｔｉｏｎ　ａｎｄ　Ｃｏｍｍｕｎｉｃａｔｉｏｎ　Ｓｙｓｔｅｍ）などがある。上記自動料金支払いシステム（ＥＴＣ）では、料金所に設置された基地局と、車両に搭載された移動局との間で、無線通信により、通行料金の決済が行われる。また、該道路交通情報通信システム（ＶＩＣＳ）では、路上に配置された基地局から、車両に搭載された移動局に対し、渋滞情報などの道路交通情報を送信する。
【０００３】
また、従来から、一般公衆回線により特定の電話番号に対して接続を行い、音声情報を得ることや、一般公衆回線や専用線等の通信手段によりインターネットに接続し、情報サーバなどからサービス情報を取得することなどが行われている。情報端末としてはパーソナルコンピュータ等各種の情報端末が用いられる。また携帯電話などの移動体通信端末においても、音声通信のみならず、デジタルデータの送受信に対応し、インターネット接続を介して情報の取得等が行われている。これらの場合、機器の使用者は、特定の電話番号に対して電話をかけたり、あるいは、インターネットへの接続や、情報提供元のサーバのアドレスの入力などの操作を行ったりして、目的の情報を選択し入手するようにしている。これら、携帯電話などの移動体通信の場合は、基地局を中心とした通信可能エリアが広域であるため、使用する場所の限定が少なく、またそれにより連続通信が可能となり転送するデータ量も制限が少ない。また、一般公衆回線による通信においても、位置は固定されるが、連続した通信が可能であり、転送するデータ量に制限を受けることはない。
【０００４】
【発明が解決しようとする課題】
上記従来技術において、一般公衆回線あるいは、携帯電話を始めとする移動体通信等、通信端末と基地局間の距離が比較的大きな広域通信手段は、通信の連続性を確保し易く、また、データ転送量の制限も少ないため、情報提供手段として好適である。しかし、広域通信手段では、情報を入手する場合、情報端末の使用者が、例えば、所望の情報が蓄積された宛先の電話番号を調査し電話をかけたり、あるいは、情報提供サーバのアドレスやファイル名称などを検索して端末に入力するなどの煩雑な操作が必要となる。例えば、特定地域に依存した情報を取得する場合などにおいては、その地域情報が蓄積されたサーバを検索して入力操作を行う必要があり、操作が煩雑で便宜性の向上が望まれている。
本発明の課題点は、上記従来技術の状況に鑑み、広域通信手段を用いる場合、利用者が、車両などの位置情報や車両位置に関連した情報などを簡単な操作で入手できるようにすることである。
本発明の目的は、かかる課題点を解決できる情報配信技術の提供にある。
【０００５】
【課題を解決するための手段】
上記課題点を解決するために、本発明では、基本的に、車両等移動体側に移動局側装置を設け、該移動局側装置に、該移動局側装置の例えば製造番号や呼び出し符号などの固有情報または、情報配信先の端末の宛先情報を保持しかつ基地局側に対し発信可能にする。基地局側には、上記移動局側装置と無線通信可能な基地局側装置を設け、上記移動局側装置の固有情報または上記端末側の宛先情報とともに、該基地局側装置自体の識別情報を情報配信装置側に出力可能にする。情報配信装置は、入力された上記移動局側装置の固有情報または上記端末側の宛先情報とに基づき、配信先の端末（単数または複数の端末）を特定するとともに、上記基地局の識別情報とに基づき、該識別情報に対応した配信用情報を特定する。具体的には、（１）基地局位置に対応する配信用情報を情報配信装置から端末側に配信する情報配信システムとして、上記基地局と無線通信可能な領域を移動する移動体（該当実施例：符号１０１）側に設けられ、自装置の固有情報（該当実施例：符号４０１）または上記端末側の宛先情報（該当実施例：符号２０５）を保持かつ発信可能な移動局側装置（該当実施例：符号１０２、１０２’）と、自装置（基地局側装置）の識別情報（該当実施例：符号２１０）を保持し上記移動局側装置との間で無線通信可能な基地局側装置（該当実施例：符号１０５）と、該基地局側装置から、上記識別情報（該当実施例：符号２１０）と、上記移動局側装置の固有情報（該当実施例：符号４０１）または上記端末側の宛先情報（該当実施例：符号２０５）とを受信し、上記識別情報に基づき配信用情報を特定するとともに、該固有情報または該宛先情報に基づき端末を特定し、該特定した配信用情報を該特定した端末（該当実施例：符号１１０、１１１）側に配信する情報配信装置（該当実施例：符号２１２、２１２’、２１２’’）とを備えた構成とする。（２）基地局位置に対応する配信用情報を情報配信装置から端末側に配信する情報配信システムを構成する移動局側装置（該当実施例：符号１０２、１０２’）として、上記基地局と無線通信可能な領域を移動する移動体（該当実施例：符号１０１）側に設けられ、該移動局側装置自体の固有情報（該当実施例：符号４０１）または上記端末側の宛先情報（該当実施例：符号２０５）を保持するとともに、無線通信により、該固有情報または該宛先情報を上記基地局側に供給する構成を備え、上記情報配信装置から、基地局側装置の識別情報によって特定される配信用情報が、上記固有情報または上記宛先情報に基づき特定される端末（該当実施例：符号１１０、１１１）側に配信されるようにした構成とする。（３）基地局位置に対応する配信用情報を情報配信装置（該当実施例：符号２１２、２１２’、２１２’’）から端末側に配信する情報配信システムを構成する基地局側装置（該当実施例：符号１０５）として、上記基地局と無線通信可能な領域を移動する移動体（該当実施例：符号１０１）側に設けられた移動局側装置（該当実施例：符号１０２、１０２’）から出力される該移動局側装置の固有情報（該当実施例：符号４０１）または上記端末側の宛先情報（該当実施例：符号２０５）を受信し、自装置の識別情報（該当実施例：符号２１０）と、該固有情報（該当実施例：符号４０１）または該宛先情報（該当実施例：符号２０５）とを上記情報配信装置側に出力する構成を備え、上記識別情報に対応した配信用情報が該情報配信装置から、上記固有情報または上記宛先情報に基づき特定される端末（該当実施例：符号１１０、１１１）側に配信されるようにした構成とする。（４）基地局位置に対応する配信用情報を情報配信装置から端末側に配信する情報配信システム用の情報配信装置（該当実施例：符号２１２、２１２’、２１２’’）として、上記基地局と無線通信可能な領域を移動する移動体（該当実施例：符号１０１）側に設けられた移動局側装置（該当実施例：符号１０２、１０２’）から出力される該移動局側装置の固有情報（該当実施例：符号４０１）または上記端末側の宛気情報（該当実施例：符号２０５）と、基地局側装置の識別情報（該当実施例：符号２１０）とが入力され、該識別情報に対応した配信用情報を、該移動局側装置の固有情報（該当実施例：符号４０１）または該端末側の宛先情報（該当実施例：符号２０５）に基づき特定される端末（該当実施例：符号１１０、１１１）側に配信する構成とする。（５）情報配信装置（該当実施例：符号２１２、２１２’、２１２’’）として、基地局側装置（該当実施例：符号１０５）との間を接続するインターフェース（該当実施例：符号２１３）と、上記基地局の識別情報（該当実施例：符号２１０）から、配信する該識別情報に対応した配信用情報を参照するテーブル（該当実施例：符号２１５）と、上記基地局と無線通信可能な領域を移動する移動体（該当実施例：符号１０１）側に設けられた移動局側装置（該当実施例：符号１０２、１０２’）から出力される該移動局側装置の固有情報（該当実施例：符号４０１）または上記端末側宛先情報（該当実施例：符号２０５）と、上記基地局の識別情報（該当実施例：符号２１０）とに基づき、配信先の端末を特定するとともに、上記テーブルを参照して該識別情報に対応した配信用情報を特定する制御手段（該当実施例：符号２１４）と、上記特定した端末（該当実施例：符号１１０、１１１）側に上記特定した配信用情報を出力する出力手段（該当実施例：符号２１６）と、上記配信用情報の提供料金を演算し記憶する構成を有する課金手段（該当実施例：符号２２０ａ、２２０ｂ、２２０ｃ）とを備えた構成とする。（６）基地局位置に対応する配信用情報を情報配信装置から端末側に配信する情報配信方法として、上記基地局と無線通信可能な領域を移動する移動体側に設けられた移動局側装置から出力される該移動局側装置の固有情報または上記端末側の宛先情報と、上記基地局の識別情報とを取り込むステップと、上記移動局側装置の固有情報または上記端末側の宛先情報と、上記基地局の識別情報とに基づき、配信先の端末と配信する配信用情報とを特定するステップと、上記特定した端末側に上記特定した配信用情報を出力するステップとを経て、端末側に配信用情報を配信する。（７）同じく情報配信方法として、上記基地局の位置情報から配信する配信用情報を参照するためのテーブルを設定するステップと、上記基地局と無線通信可能な領域を移動する移動体側に設けられた移動局側装置から出力される該移動局側装置の固有情報または上記端末側の宛先情報と、上記基地局の識別情報とを、インターフェースを介し基地局側から取り込むステップと、上記移動局側装置の固有情報または上記端末側の宛先情報と、上記基地局の識別情報とに基づき、配信先の端末を特定するとともに上記テーブルを参照し配信する配信用情報を特定するステップと、上記特定した端末側に上記特定した配信用情報を出力するステップとを経て、端末側に配信用情報を配信する。（８）同じく情報配信方法として、上記基地局の識別情報から配信する配信用情報を参照するためのテーブルを設定するステップと、上記基地局と無線通信可能な領域を移動する移動体側に設けられた移動局側装置から出力される該移動局側装置の固有情報または上記端末側の宛先情報と、上記基地局の識別情報とを、インターフェースを介し上記基地局側から取り込むステップと、上記移動局側装置の固有情報または上記端末側の宛先情報と、上記基地局の識別情報とに基づき、配信先の端末を特定するとともに、上記テーブルを参照し配信する配信用情報を特定するステップと、上記特定した端末側に上記特定した配信用情報を出力するステップと、該配信用情報の提供料金を演算し記憶するステップとを有し、端末側に配信用情報を配信する。
【０００６】
【発明の実施の形態】
以下、本発明の実施例につき図面を用いて説明する。
図１〜図３は本発明の第１の実施例の説明図である。図１は情報配信システムの構成例図、図２は、図１の情報配信システムを構成する移動局側装置、基地局側装置及び情報配信装置の構成例図、図３は、移動局側装置、基地局側装置及び情報配信装置の動作説明図である。
本第１の実施例は、車両に搭載した移動局側装置から基地局側装置に、狭域の無線通信により、広域通信用の宛先情報として例えば電子メールのアドレス情報などを送信し、さらに、情報センターでは、該アドレス情報などを宛先として、広域通信網に接続された端末に地域情報等の配信情報を提供する場合の例である。
図１において、１０１は移動体としての車両、１０２は車両に搭載された移動局側装置としての狭域通信用の移動局通信装置、１０３は道路、１０４は道路に沿って設置されたガントリー、１０５は基地局側装置としての狭域通信用の基地局通信装置、１０６は、基地局通信装置１０５が移動局通信装置１０２と無線通信するためのアンテナ、１０７はアンテナ１０６の通信領域、１０８は複数の基地局間を接続する基地局網、１０９は情報配信装置（図示なし）を備えた情報センター、１１０は一般公衆回線等に接続された情報端末、１１１は移動体通信の携帯端末、１１２は移動体通信の基地局、１１３は情報センター１０９内の情報配信装置と配信用情報の送信宛先の端末とを接続する広域通信網である。かかる構成において、車両１０１が通信領域１０７に進入すると、基地局通信装置１０５と移動局通信装置１０２の間で無線通信が行われる。本例の通信方式としては、標準規格「有料道路自動料金収受システム標準規格ＡＲＩＢ　ＳＴＤ−Ｔ５５１．０版」の方式などの狭域無線通信方式であって、通信領域１０７の大きさは、数ｍから数十ｍ程度の領域である。移動局通信装置１０２には予め、電子メールのアドレス、電話番号等利用者のＩＤ番号等が、配信用情報の送信宛先端末を特定するための宛先情報（以下、広域通信識別情報という）として保持されており、基地局通信装置１０５に対して該広域通信識別情報を送信するようになっている。携帯電話などでは電話番号を電子メールの宛先として利用することも可能である。基地局通信装置１０５は、受信した上記広域通信識別情報を、自装置固有の位置情報等の識別情報とともに、基地局網１０８を介して情報センター１０９に送信する。情報センター１０９では、情報配信装置が、該広域通信識別情報と、該基地局通信装置１０５の識別情報とを受信し、該広域通信識別情報からは宛先の情報端末１１０、携帯端末１１１を特定し、基地局通信装置１０５の識別情報からは該宛先に送信する配信情報を特定する。特定する情報端末１１０、携帯端末１１１は、単数であっても、複数であってもよい。特定した宛先の端末に対しては、電子メール等により、特定した配信情報を送信する。本例の場合、配信情報は予め、該情報配信装置内に保持されている。特定した宛先に送信する配信情報の内容としては、例えば、車両１０１が通過した基地局の位置や、基地局が位置する地域の地域情報、道路交通情報、天候情報等がある。該配信情報の形態は、文字、画像、音声のいずれでもよいし、またはこれらの組合せであってもよい。配信情報として、車両が通過した基地局の基地局通信装置１０５の識別情報である位置情報を配信した場合には、離れた位置から、車両の該位置の通過を確認することができるため、車両の位置管理等が可能となる。また、広域通信識別情報として例えば携帯電話の電子メールアドレスを設定し、該携帯電話を車両に搭載した場合には、携帯電話利用者の搭乗車両の現在位置や、車両位置の地域の地域情報などを入手することも可能となる。
【０００７】
図２は、図１に示す情報配信システムにおける移動局通信装置１０２、基地局通信装置１０５、及び情報センター１０９内の情報配信装置のそれぞれの内部構成例を示す。
図２において、２０１は、移動局側装置としての移動局通信装置１０２のアンテナ、２０２は同じく無線送受信部、２０３は同じく狭域通信制御手段、２０４は同じく、端末（情報端末１１０、携帯端末１１１）側の宛先情報である広域通信識別情報を記録等保持するための識別情報保持手段、２０５は、同じく該識別情報保持手段２０４に保持された広域通信識別情報、２０６は該識別情報保持手段２０４に保持する該広域通信識別情報を設定するための設定手段である。狭域通信制御手段２０３は、識別情報保持手段２０４からの広域通信識別情報２０５の読出しや出力を制御する。２０７は、基地局側装置としての基地局通信装置１０５の無線送受信部、２０８は同じく狭域通信制御手段、２０９は、基地局通信装置１０５固有の識別情報を保持するための識別情報保持手段、２１０は該識別情報保持手段２０９に保持された基地局通信装置１０５に固有の識別情報（以下、基地局識別情報という）、２１１は基地局網１０８を介して情報センター１０９の情報配信装置に接続するためのインターフェース、２１２は該情報センター１０９に設置された情報配信装置、２１３は、基地局網１０８を介し該情報配信装置２１２と狭域通信の基地局通信装置１０５とを接続するためのインターフェース、２１４は情報配信制御手段、２１５は基地局識別情報２１０から、配信用情報の内容を参照するためのテーブル、２１６は広域通信網１１３と交信を行う送受信手段、２２０ａは、端末（情報端末１１０、携帯端末１１１）側への配信用情報の提供料金を演算して記憶する課金手段である。狭域通信制御手段２０８は、識別情報保持手段２０９からの基地局通信装置１０５の基地局識別情報２１０の読出しや出力を制御する。その他、図１と同様の構成部分については同一符号を付す。
【０００８】
図３は、上記図２における移動局通信装置１０２、基地通信装置１０５及び情報配信装置２１２の動作説明図である。移動局通信装置１０２では、予め設定手段２０６により、端末（情報端末１１０、携帯端末１１１）側の宛先情報である広域通信識別情報２０５を設定し、識別情報保持手段２０４に保持する（ステップＳ３０１）。設定する広域通信識別情報としては、例えば電子メールのアドレス情報などである。一方、基地局通信装置１０５においては、予め基地局識別情報２１０を識別情報保持手段２０９に設定して保持しておく。該設定・保持は装置の製作時に行ってよいし、または、装置設置後にインターフェース２１１を介して外部から行うようにしてもよい（ステップＳ３０４）。移動局通信装置１０２の狭域通信制御手段２０３は、移動局通信装置１０２を搭載した車両１０１が基地局通信装置１０５の通信領域１０７に進入したか否かを監視した状態で待機し、車両１０１の通信領域１０７への進入・非進入に対応して識別情報保持手段２０４からの広域通信識別情報２０５の読出しや出力（送信）を制御する（ステップＳ３０２）。例えば、車両１０１が基地局通信装置１０５の通信領域１０７に進入した場合には、上記狭域通信制御手段２０３による制御によって、識別情報保持手段２０４に保持されている広域通信識別情報２０５が読出され、無線送受信部２０２からアンテナ２０１を介し、基地局の基地局通信装置１０５に対して無線送信される（ステップＳ３０３）。基地局通信装置１０５では、無線送受信部２０７で、移動局通信装置１０２から無線送信された広域通信識別情報２０５を受信したとき（ステップＳ３０５）、狭域通信制御手段２０８が対応した制御動作を行う。すなわち、該狭域通信制御手段２０８の制御動作によって、識別情報保持手段２０９から基地局識別情報２１０が読出され、広域通信識別情報２０５とともに、インターフェース２１１から情報センター１０９内の情報配信装置２１２側に送信される（ステップＳ３０６）。情報配信装置２１２では、情報配信制御手段２１４は、インターフェース２１３を介して基地局通信装置１０５から、広域通信識別情報２０５と基地局識別情報２１０とを受信し（ステップＳ３０７）、テーブル２１５の参照により基地局識別情報２１０毎に対応した配信用情報を特定する（ステップＳ３０８）。該配信用情報としては、基地局識別情報２１０に対応した例えば、所在位置、地域情報、または道路交通情報等である。該配信用情報は、文字情報、音声情報、画像情報のいずれでもよいし、またはこれらの組合せであってもよい。さらに、情報配信制御手段２１４は、基地局通信装置１０２からの広域通信識別情報２０５によっては配信用情報の送信先端末を特定する。例えば電子メールの宛先端末を特定し、該特定された端末に対して、上記特定した配信用情報が送受信手段２１６から送信（配信）される（ステップＳ３０９）。該送信（配信）した該配信用情報の提供料金は、課金手段２２０ａにより端末毎に演算し、その結果を記憶する（ステップＳ３１０）。配信用情報は、車両の位置や地域情報などに限定されることなく、情報提供者から利用者に対して連絡する内容の情報などであってもよい。
【０００９】
上記第１の実施例によれば、広域通信識別情報２０５を移動局通信装置１０２に設定して保持する構成としているため、利用者は、情報センター１０９への配信先端末の登録などの操作が不要となり、車両の位置情報や、車両位置に関連する情報など希望の情報を、配信用情報として端末側で簡単な操作により取得することができる。また、配信用情報の配信先の変更も容易となる。さらに、広域通信により情報伝達を行うため、伝達情報量も多くすることができる。
【００１０】
なお、上記第１の実施例の説明では、移動局通信装置１０２からは広域通信識別情報のみを基地局通信装置１０５に送信する場合につき述べたが、この他、移動局通信装置１０２からは、広域通信識別情報に加え、例えば、利用者が希望する情報の種別等に関する要求情報などを送信してもよい。この場合には、情報配信装置２１２で利用者の希望する要求情報のみを選択し端末側に配信することも可能である。該要求情報としては、例えば、道路の車両渋滞情報、観光情報、飲食店情報等があり、この中から利用者が希望するものを選択することもできるものとする。また、広域通信網１１３に接続され情報配信装置２１２から配信用情報を受信する端末の、画面表示の画素数情報や色数情報あるいは通信速度情報等を、移動局通信装置１０２から基地局通信装置１０５に送信することも可能であり、この場合は、情報配信装置２１２から、端末の条件に合せた配信用情報を該端末に対し提供することが可能となる。
【００１１】
図４は本発明の第２の実施例の説明図である。
本第２の実施例は、車両等移動体に搭載した移動局側装置自体の固有情報に基づき、配信用情報を提供する端末を特定する場合の構成例である。
図４において、１０２’は移動局側装置としての狭域通信の移動局通信装置、１０５は基地局側装置としての狭域通信の基地局通信装置、２１２’は情報センター内に設置される情報配信装置である。移動局通信装置１０２’内において、２０１は、移動局通信装置１０２’のアンテナ、２０２は同じく無線送受信部、２０３’は同じく狭域通信制御手段、２０４’は同じく、移動局通信装置１０２’の製造番号や、無線通信の呼び出し符号など該移動局通信装置１０２’自体の固有情報（以下、移動局固有情報という）４０１を記録等保持するための識別情報保持手段である。狭域通信制御手段２０３’は、識別情報保持手段２０４’からの移動局固有情報４０１の読出しや出力を制御する。また、情報配信装置２１２’内において、２１３は、基地局網（図示なし）を介し該情報配信装置２１２’と基地局通信装置１０５とを接続するためのインターフェース、２１４’は情報配信制御手段、２１５は、基地局通信装置１０５固有の識別情報である基地局識別情報から、配信用情報の内容を参照するためのテーブル、４０２は、情報配信装置２１２’内で移動局固有情報４０１から情報配信先端末のアドレス等広域通信識別情報を参照するためのテーブル、２１６’は広域通信網と交信を行う送受信手段、２２０ｂは、端末側への配信用情報の提供料金を演算して記憶する課金手段である。基地局通信手段１０５は、基本的に上記第１の実施例の場合と同様の構成（図２）を有するものとする。情報配信装置２１２’内において、情報配信制御手段２１４’は、インターフェース２１３を介して基地局通信装置１０５から、移動局固有情報４０１と基地局識別情報とを受信し、該基地局識別情報によっては、テーブル２１５の参照により該基地局識別情報毎に対応した配信用情報を特定する。該配信用情報としては、上記第１の実施例の場合と同様、基地局識別情報に対応した例えば、所在位置、地域情報、または道路交通情報等である。該配信用情報は、文字情報、音声情報、画像情報のいずれでもよいし、またはこれらの組合せであってもよい。さらに、該情報配信制御手段２１４’は、移動局固有情報４０１によってはテーブル４０２の参照により配信用情報の送信先端末のアドレス等広域通信識別情報を特定して該送信先端末を特定する。テーブル４０２には、予め移動局固有情報４０１毎の広域通信識別情報が登録される。
【００１２】
上記図４の構成において、移動局通信装置１０２’の狭域通信制御手段２０３’は、該移動局通信装置１０２’を搭載した車両等移動体が基地局通信装置１０５の通信領域に進入したか否かを監視した状態で待機し、車両等移動体の通信領域への進入・非進入に対応して識別情報保持手段２０４’からの移動局固有情報４０１の読出しや出力（送信）を制御する。例えば、車両等移動体が基地局通信装置１０５の通信領域に進入した場合には、上記狭域通信制御手段２０３’による制御によって、識別情報保持手段２０４’に保持されている移動局固有情報４０１が読出され、無線送受信部２０２からアンテナ２０１を介し、基地局の基地局通信装置１０５に対して無線送信される。基地局通信装置１０５では、無線送受信部（図示なし）で移動局通信装置１０２’から無線送信された移動局固有情報４０１を受信したとき、狭域通信制御手段（図示なし）がこれに対応した制御動作を行い、これによって、識別情報保持手段（図示なし）から基地局識別情報が読出され、移動局固有情報４０１とともに、インターフェース（図示なし）から情報配信装置２１２’側に送信される。情報配信装置２１２’では、情報配信制御手段２１４’が、テーブル２１５の参照により、該基地局識別情報からは該基地局識別情報に対する配信用情報を特定するとともに、テーブル４０２の参照により、移動局固有情報４０１からは広域通信識別情報を特定し配信用情報の送信先端末を特定する。該送信（配信）した該配信用情報の提供料金は、課金手段２２０ｂにより端末毎に演算し、その結果を記憶する。
【００１３】
上記第２の実施例によれば、上記第１の実施例の場合と同様、利用者は、車両の位置情報や、車両位置に関連する情報など希望の情報を、配信用情報として端末側で簡単な操作により取得することができる。また、配信用情報の配信先の変更も容易となる。さらに、広域通信により伝達情報量も多くできる。
【００１４】
図５、図６は本発明の第３の実施例の説明図で、図５は情報配信システムの構成例図、図６は、その概念構成例図である。
本第３の実施例は、情報配信装置においては、識別情報や宛先情報に基づき特定される配信用情報とその宛先とを表示し、該表示結果に基づいてオペレータが音声により、配信用情報を宛先の端末に送信する場合の構成例である。
図５において、１０２は移動局側装置としての狭域通信の移動局通信装置、１０５は基地局側装置としての狭域通信の基地局通信装置、２１２’’は情報センター内の情報配信装置である。移動局通信装置１０２、基地局通信装置１０５はともに、上記第１の実施例の場合と同様の構成を備えるものとする。情報配信装置２１２’’内において、２１３は、該情報配信装置２１２’’と基地局通信装置１０５とを接続するためのインターフェース、２１４は情報配信制御手段、２１５は、基地局通信装置１０５に固有の識別情報である基地局識別情報から、配信用情報の内容を参照するためのテーブルである。情報配信制御手段２１４は、インターフェース２１３を介し基地局通信装置１０５から、配信用情報の送信宛先端末を特定するための宛先情報としての広域通信識別情報と、上記基地局識別情報とを受信し、該基地局識別情報によっては、テーブル２１５の参照により該基地局識別情報毎に対応した配信用情報を特定する。また、広域通信識別情報によっては配信用情報の送信先端末を特定する。広域通信識別情報としては、例えば予め設定された送信先の電話番号等である。２２０ｃは、配信用情報の提供料金を演算して記憶する課金手段、５０１は、特定された送信先端末の電話番号等及び特定された配信用情報とを表示する表示手段、５０２はオペレータ、５０３は音声による通信を行う音声通信手段である。かかる構成において、移動局通信装置１０２では、予め設定手段（図示なし）により、送信先端末（電話等）の宛先情報である電話番号等を広域通信識別情報として設定し、識別情報保持手段（図示なし）に保持する。基地局通信装置１０５においては、予め基地局識別情報を識別情報保持手段（図示なし）に設定して保持しておく。移動局通信装置１０２は、上記第１の実施例の場合と同様、該移動局通信装置１０２を搭載した車両等移動体が基地局通信装置１０５の通信領域に進入したか否かを監視した状態で待機し、車両等移動体の通信領域への進入・非進入に対応して識別情報保持手段からの広域通信識別情報の読出しや出力（送信）を制御する。例えば、車両等移動体が基地局通信装置１０５の通信領域内に進入した場合には、該移動局通信装置１０２内の狭域通信制御手段（図示なし）による制御によって、識別情報保持手段に保持されている広域通信識別情報が読出され、基地局通信装置１０５に対して無線送信される。基地局通信装置１０５では、移動局通信装置１０２から無線送信された広域通信識別情報を受信し、内部の狭域通信制御手段（図示なし）による制御動作によって、内部の識別情報保持手段（図示なし）から基地局識別情報が読出され、上記広域通信識別情報とともに、情報配信装置２１２’’側に送信される。情報配信装置２１２’’では、情報配信制御手段２１４は、インターフェース２１３を介して基地局通信装置１０５から、上記広域通信識別情報と上記基地局識別情報とを受信し、基地局識別情報によっては、テーブル２１５の参照により基地局識別情報毎に対応した配信用情報を特定し、広域通信識別情報によっては、配信用情報の送信先を特定する。該特定された配信用情報と送信先（例えば、電話番号など）は、文字等によって表示手段５０１に表示される。オペレータ５０２は、該表示結果に基づき、音声通信手段５０３により配信用情報を音声で送信先に送信する。該送信（配信）された配信用情報の提供料金は、課金手段２２０ｃにより端末毎に演算され、その結果が記憶される。
【００１５】
図６は、図５の情報配信システムを駐車場管理に適用した場合の概念構成例図である。
図６において、６０１は駐車場、６０２は駐車場の入口、６０３は駐車場の出口である。その他、図２、図５に示す構成と同様の構成部については、これらの図における符号と同じ符号を付してある。本構成例では、車両１０１が駐車場６０１に、入口６０２から進入した時、車両に搭載された狭域通信の移動局通信装置１０２から、車両の搭乗者が所持する広域通信装置としての携帯端末（ここでは携帯電話とする）１１１の電話番号を送信する。情報配信装置２１２’’（図５）の表示手段５０１（図５）には基地局識別情報毎の情報内容として、車両が進入して来た入口に応じて、駐車可能な駐車スペースの情報と、電話番号とが表示される。オペレータ５０２は、表示された電話番号に電話をかけ、車両の搭乗者に対して駐車スペースの情報を連絡する。本実施例では、車両がどの入口から進入して来たかを、基地局識別情報によって判別できるため、それに応じた駐車スペースの情報を案内することができる。また、音声による案内であるため、携帯電話装置によるサービスの受容が可能となる。また、オペレータ５０２側から電話をかけるため、通信料を駐車場利用者が負担しなくて済む。
【００１６】
上記図５、図６の構成例では、オペレータ５０２が介在する場合につき説明したが、例えば、予め録音された音声情報を用いる等、オペレータ５０２を介しない構成の場合も同様のサービスが可能である。オペレータを必要としない場合は、より安価に情報の配信が可能となる。
【００１７】
上記第３の実施例によっても、上記第１、第２の実施例の場合と同様、利用者は、車両位置に関連する情報など希望の情報を、配信用情報として端末側で簡単に取得することができる。また、配信用情報の配信先の変更も容易に可能である。特に、本実施例では音声による情報伝達を行うため、配信される情報を、受信者側において簡易かつ低コストな手段で受信することができる。さらに、広域通信を利用する構成のため、伝達する情報量も増やすことができる。
【００１８】
なお、上記各実施例を含め、本発明における狭域通信方式としては、基地局の通信領域が限定されるものであれば、特定の方式に限定されるものではなく、例えば、ＩＥＥＥ８０２．１１ｂ規格等による無線ＬＡＮの通信方式や、赤外線による通信方式等であってもよい。
【００１９】
【発明の効果】
本発明によれば、利用者が簡単な操作で、車両の位置情報や、車両位置に関連する情報や、情報提供者からの連絡情報等を入手することができる。
【図面の簡単な説明】
【図１】本発明の第１の実施例の説明図で、情報配信システムの概念図である。
【図２】図１の情報配信システムの各部の構成例図である。
【図３】図１の情報配信システムの動作説明図である。
【図４】本発明の第２の実施例の説明図である。
【図５】本発明の第３の実施例の説明図で、情報配信システムの構成例図である。
【図６】図５の情報配信システムを駐車場管理に適用した場合の概念例図である。
【符号の説明】
１０１…車両、　１０２、１０２’…移動局通信装置、　１０５…基地局通信装置、　１０８…基地局網、　１０９…情報センター、　１１０…情報端末、　１１１…携帯端末、　１１２…移動体通信の基地局、　１１３…広域通信網、　２０３、２０３’、２０８…狭域通信制御手段、　２１２、２１２’、２１２’’…情報配信装置、　２１４、２１４’…情報配信制御手段、　２２０ａ、２２０ｂ、２２０ｃ…課金手段、　５０１…表示手段、　５０３…音声通信手段。
【図１】
2004032083.tif 000003
【図２】
2004032083.tif 000004
【図３】
2004032083.tif 000005
【図４】
2004032083.tif 000006
【図５】
2004032083.tif 000007
【図６】
2004032083.tif 000008